(57)【要約】【課題】  高精度な色再現性を実現できる画質調整方法を提供する。【課題手段】  Ｒ，Ｇ，Ｂ毎の色特性データを測定する色特性測定工程と、出力画像の色特性目標データを設定する目標データ設定工程と、ルックアップテーブルを作成するルックアップテーブル作成工程と、作成したルックアップテーブルを表示装置に組み込む画質調整工程とを備える。ルックアップテーブル作成工程は、信号レベル設定工程Ｓ３１と、ＲＧＢ毎の第１の色特性データを求める第１の色特性算出工程Ｓ３２と、第１の輝度値を算出する第１の輝度値算出工程Ｓ３３と、ＲＧＢ毎の第２の色特性データを求める第２の色特性算出工程Ｓ３４と、第２の輝度値を算出する第２の輝度値算出工程Ｓ３５と、ルックアップテーブルデータを算出するルックアップテーブルデータ算出工程Ｓ３６とを備え、信号レベルを変更しながら、Ｓ３２〜Ｓ３６を繰り返してルックアップテーブルを作成する。【選択図】        図５
2006113151.tif 000002
【特許請求の範囲】
【請求項１】
Ｒ，Ｇ，Ｂの３色を表示可能な表示体の駆動信号レベルに対するＲ，Ｇ，Ｂ毎の輝度値および色座標値を含む表示体色特性データを測定する色特性測定工程と、
前記表示体に所定レベルの駆動信号を入力した際の出力画像の色特性目標データを設定する目標データ設定工程と、
前記表示体を有する表示装置に入力される入力信号と、その入力信号に応じて前記表示体に入力する駆動信号との関係を定義するルックアップテーブルを作成するルックアップテーブル作成工程と、
作成したルックアップテーブルを前記表示装置に組み込む画質調整工程とを備え、
前記ルックアップテーブル作成工程は、
信号レベルを設定する信号レベル設定工程と、
前記ＲＧＢの各表示体色特性データの正規化した輝度値が、前記色特性目標データの正規化した輝度値において前記信号レベル設定工程で設定されたレベルの入力信号に対応する輝度値と等しい条件を満たすＲＧＢ毎の第１の色特性データを求める第１の色特性算出工程と、
ＲＧＢ毎の第１の色特性データと、前記設定された信号レベルに対応する色特性目標データとからＲＧＢ毎の第１の輝度値を算出する第１の輝度値算出工程と、
前記ＲＧＢの各表示体色特性データの正規化した輝度値が、前記第１の輝度値と等しい条件を満たすＲＧＢ毎の第２の色特性データを求める第２の色特性算出工程と、
ＲＧＢ毎の第２の色特性データと、前記設定された信号レベルに対応する色特性目標データとからＲＧＢ毎の第２の輝度値を算出する第２の輝度値算出工程と、
前記ＲＧＢ毎の表示体色特性データの正規化した輝度値が、前記第２の輝度値と等しい条件を満たすＲＧＢの各駆動信号レベルを求め、前記表示装置に入力される信号レベルとＲＧＢの各駆動信号レベルとの関係を示すルックアップテーブルデータを算出するルックアップテーブルデータ算出工程と、を備え、
前記信号レベル設定工程で信号レベルを変更しながら、前記第１の色特性算出工程、第１の輝度値算出工程、第２の色特性算出工程、第２の輝度値算出工程、ルックアップテーブルデータ算出工程を繰り返すことでルックアップテーブルを作成することを特徴とする表示装置の画質調整方法。
【請求項２】
請求項１に記載の表示装置の画質調整方法において、
前記目標データ設定工程は、
表示装置における入力信号に対する無彩色の色度座標の変化を示す理想のグレイカーブを作成する理想グレイカーブ作成工程と、
表示装置におけるガンマ補正データと前記理想グレイカーブとから色特性目標データとなる理想カーブ色座標データを作成する理想カーブ色座標データ作成工程とを備えることを特徴とする表示装置の画質調整方法。
【請求項３】
請求項１または請求項２に記載の表示装置の画質調整方法において、
前記第１の色特性算出工程は、前記ＲＧＢの各表示体色特性データの正規化した輝度値が、前記色特性目標データの正規化した輝度値において前記信号レベル設定工程で設定されたレベルの入力信号に対応する輝度値と等しい条件を満たすＲ色の第１の三刺激値（Xrt,Yrt,Zrt）、Ｇ色の第１の三刺激値（Xgt,Ygt,Zgt）、Ｂ色の第１の三刺激値（Xbt,Ybt,Zbt）を求め、
前記第１の輝度値算出工程は、第１の色特性算出工程で算出されたＲＧＢの各色特性データと、前記設定された入力信号レベルに対応する色特性目標データとからＲＧＢ毎の第１の輝度値（Yr,Yg,Yb）を算出し、
前記第２の色特性算出工程は、前記ＲＧＢの各表示体色特性データの正規化した輝度値が、前記第１の輝度値（Yr,Yg,Yb）と等しい条件を満たすＲ色の第２の三刺激値（Xrt',Yrt',Zrt'）、Ｇ色の第２の三刺激値（Xgt',Ygt',Zgt'）、Ｂ色の第２の三刺激値（Xbt',Ybt',Zbt'）を求め、
前記第２の輝度値算出工程は、第２の色特性算出工程で算出されたＲＧＢの各色特性データと、前記設定された入力信号レベルに対応する色特性目標データとからＲＧＢ毎の第２の輝度値（Yr',Yg',Yb'）を算出することを特徴とする表示装置の画質調整方法。
【請求項４】
請求項３に記載の表示装置の画質調整方法において、
前記色特性目標データにおいて前記信号レベル設定工程で設定されたレベルの入力信号に対応する色特性目標データの三刺激値を（Ｘ，Ｙ，Ｚ）とし、表示装置で黒を表示している際の三刺激値を（Xbk,YbK,Zbk）とした場合に、
前記第１の輝度値算出工程は、第１の輝度値（Yr,Yg,Yb）を、
【数１】
2006113151.tif 000009
で求め、
前記第２の輝度値算出工程は、第２の輝度値（Yr',Yg',Yb'）を、
【数２】
2006113151.tif 000010
で求めることを特徴とする表示装置の画質調整方法。
【請求項５】
請求項１から請求項４のいずれかに記載の表示装置の画質調整方法において、
前記表示装置は、表示体としてのＲＧＢ用の３枚の液晶パネルを有する三板式液晶プロジェクタであることを特徴とする表示装置の画質調整方法。
【請求項６】
Ｒ，Ｇ，Ｂの３色を表示可能な表示体の駆動信号レベルに対するＲ，Ｇ，Ｂ毎の輝度値および色座標値を含む表示体色特性データを測定する色特性測定手段と、
前記表示体に所定レベルの駆動信号を入力した際の出力画像の色特性目標データを設定する目標データ設定手段と、
前記表示体を有する表示装置に入力される入力信号と、その入力信号に応じて前記表示体に入力する駆動信号との関係を定義するルックアップテーブルを作成するルックアップテーブル作成手段と、
作成したルックアップテーブルを前記表示装置に組み込む画質調整手段とを備え、
前記ルックアップテーブル作成手段は、
信号レベルを設定する信号レベル設定手段と、
前記ＲＧＢの各表示体色特性データの正規化した輝度値が、前記色特性目標データの正規化した輝度値において前記信号レベル設定手段で設定されたレベルの入力信号に対応する輝度値と等しい条件を満たすＲＧＢ毎の第１の色特性データを求める第１の色特性算出手段と、
ＲＧＢ毎の第１の色特性データと、前記設定された信号レベルに対応する色特性目標データとからＲＧＢ毎の第１の輝度値を算出する第１の輝度値算出手段と、
前記ＲＧＢの各表示体色特性データの正規化した輝度値が、前記第１の輝度値と等しい条件を満たすＲＧＢ毎の第２の色特性データを求める第２の色特性算出手段と、
ＲＧＢ毎の第２の色特性データと、前記設定された信号レベルに対応する色特性目標データとからＲＧＢ毎の第２の輝度値を算出する第２の輝度値算出手段と、
前記ＲＧＢ毎の表示体色特性データの正規化した輝度値が、前記第２の輝度値と等しい条件を満たすＲＧＢの各駆動信号レベルを求め、前記表示装置に入力される信号レベルとＲＧＢの各駆動信号レベルとの関係を示すルックアップテーブルデータを算出するルックアップテーブルデータ算出手段と、
前記信号レベル設定手段で信号レベルを変更しながら、前記第１の色特性算出手段、第１の輝度値算出手段、第２の色特性算出手段、第２の輝度値算出手段、ルックアップテーブルデータ算出手段を用いてルックアップテーブルを作成することを特徴とする表示装置の画質調整装置。
【請求項７】
Ｒ，Ｇ，Ｂの３色を表示可能な表示体と、
この表示体を駆動する駆動制御回路部とを有し、
駆動制御回路部は、請求項１から請求項５のいずれかに記載の表示装置の画質調整方法によって作成されたルックアップテーブルを用いて前記表示体の駆動を制御することを特徴とする表示装置。
【請求項８】
請求項７に記載の表示装置において、
前記表示体としてＲＧＢ用の３枚の液晶パネルを有する三板式液晶プロジェクタであることを特徴とする表示装置。
【発明の詳細な説明】
【技術分野】
【０００１】
本発明は、表示体として液晶パネルを用いた液晶プロジェクタ、液晶プロジェクションテレビ、直視型の液晶ディスプレイや、表示体としてＰＤＰや有機ＥＬパネルを用いたプラズマテレビ、有機ＥＬディスプレイ等の各種表示装置の画質調整方法、画質調整装置および表示装置に関する。
【背景技術】
【０００２】
三板式液晶プロジェクタ等に用いられる液晶パネルの透過特性（駆動電圧に対する透過率特性：ＶＴ特性）は非線形なＳ字カーブである。その特性は、液晶パネル毎にバラツキをもつため、色彩輝度計などを用いてＲ（赤）、Ｇ（緑）、Ｂ（青）毎の色特性データを予め測定し、その測定データを元に作成したルックアップテーブルを利用することで液晶パネル毎のバラツキを補正していた（例えば特許文献１参照）。
【０００３】
【特許文献１】特開２００３−１８４１５号公報
【発明の開示】
【発明が解決しようとする課題】
【０００４】
ところで、液晶パネルには、旋光分散特性という特有の特性があり、各階調におけるホワイトバランスが崩れることが知られている。旋光分散特性とは、光透過率が光の波長によって変化するとともに、電圧によってもその変化の仕方が異なる現象である。このため、Ｒ，Ｇ，Ｂの各液晶パネルの駆動信号の電圧つまり液晶パネルで表示される画像の階調を変化させると、Ｒ，Ｇ，Ｂの各色座標も変化し、各階調のホワイトバランスも崩れ、特に中・低輝度域において色再現性が低下していた。
このような駆動信号レベルを変化させて階調を変化させた際にホワイトバランス等が崩れ、色再現性が低下するという現象は、液晶パネルに限らず、ＰＤＰや有機ＥＬにおいても発生するおそれがある。
【０００５】
これらの階調による色再現性に関しては、従来はあまり問題視されていなかったが、近年、映像信号のデジタル化や高画質化に伴い、より精度の高い色再現性が求められるようになり、より正確な色再現性を実現できる画質調整方法、画質調整装置および液晶表示装置が求められるようになった。
【０００６】
本発明の目的は、高精度な色再現性を実現できる画質調整方法、画質調整装置および表示装置を提供することにある。
【課題を解決するための手段】
【０００７】
本発明の表示装置の画質調整方法は、
Ｒ，Ｇ，Ｂの３色を表示可能な表示体の駆動信号レベルに対するＲ，Ｇ，Ｂ毎の輝度値および色座標値を含む表示体色特性データを測定する色特性測定工程と、
前記表示体に所定レベルの駆動信号を入力した際の出力画像の色特性目標データを設定する目標データ設定工程と、
前記表示体を有する表示装置に入力される入力信号と、その入力信号に応じて前記表示体に入力する駆動信号との関係を定義するルックアップテーブルを作成するルックアップテーブル作成工程と、
作成したルックアップテーブルを前記表示装置に組み込む画質調整工程とを備え、
前記ルックアップテーブル作成工程は、
信号レベルを設定する信号レベル設定工程と、
前記ＲＧＢの各表示体色特性データの正規化した輝度値が、前記色特性目標データの正規化した輝度値において前記信号レベル設定工程で設定されたレベルの入力信号に対応する輝度値と等しい条件を満たすＲＧＢ毎の第１の色特性データを求める第１の色特性算出工程と、
ＲＧＢ毎の第１の色特性データと、前記設定された信号レベルに対応する色特性目標データとからＲＧＢ毎の第１の輝度値を算出する第１の輝度値算出工程と、
前記ＲＧＢの各表示体色特性データの正規化した輝度値が、前記第１の輝度値と等しい条件を満たすＲＧＢ毎の第２の色特性データを求める第２の色特性算出工程と、
ＲＧＢ毎の第２の色特性データと、前記設定された信号レベルに対応する色特性目標データとからＲＧＢ毎の第２の輝度値を算出する第２の輝度値算出工程と、
前記ＲＧＢ毎の表示体色特性データの正規化した輝度値が、前記第２の輝度値と等しい条件を満たすＲＧＢの各駆動信号レベルを求め、前記表示装置に入力される信号レベルとＲＧＢの各駆動信号レベルとの関係を示すルックアップテーブルデータを算出するルックアップテーブルデータ算出工程と、を備え、
前記信号レベル設定工程で信号レベルを変更しながら、前記第１の色特性算出工程、第１の輝度値算出工程、第２の色特性算出工程、第２の輝度値算出工程、ルックアップテーブルデータ算出工程を繰り返すことでルックアップテーブルを作成することを特徴とする。
【０００８】
このような本発明によれば、ルックアップテーブル作成工程においては、第１の色特性算出工程により、実際に測定した表示体色特性データにおいて、色特性目標データの目標となる輝度値に等しい輝度値となる第１の色特性データを算出し、第１の輝度値算出工程ではこの第１の色特性データを利用して第１の輝度値を算出している。さらに、第２の色特性算出工程により、実際に測定した表示体色特性データにおいて、この第１の輝度値に等しい輝度値となる第２の色特性データを算出し、第２の輝度値算出工程ではこの第２の色特性データを利用して第２の輝度値を算出している。そして、この第２の輝度値に基づいてＲＧＢの各表示体の駆動信号レベルを求めてルックアップテーブルを作成している。
すなわち、色特性目標データとなるような各ＲＧＢの各表示体への駆動信号レベルを算出する際に、まず、目標データの輝度値と等しい場合の第１の色特性データに基づいて仮の輝度値（第１の輝度値）を算出し、その仮輝度値の場合の第２の色特性データを求め、この色特性データに基づいて輝度値（第２の輝度値）を算出しているので、階調つまり駆動信号に応じて色座標が変化する表示体においても、実際の階調（輝度値）の色座標に基づいて輝度値を算出しているので、その色座標の変化を考慮して輝度値を算出でき、より正確なルックアップテーブルを作成できる。このため、低・中・高の各輝度領域における色再現性を向上できる。
【０００９】
本発明においては、前記目標データ設定工程は、表示装置における入力信号に対する無彩色の色度座標の変化を示す理想のグレイカーブを作成する理想グレイカーブ作成工程と、表示装置におけるガンマ補正データと前記理想グレイカーブとから色特性目標データとなる理想カーブ色座標データを作成する理想カーブ色座標データ作成工程とを備えることが好ましい。
ここで、理想のグレイカーブは、例えば、明るさを優先する表示モードと、色の再現を優先する表示モードとがある場合には、各モード毎に設定すればよい。
【００１０】
理想グレイカーブ作成工程および理想カーブ色座標データ作成工程を備えていれば、各表示モード毎に理想のグレイカーブを設定することで、各表示モード毎の色特性目標データを容易に作成できる。また、各種のガンマ特性に応じたガンマ補正データを用いてガンマ特性の異なる各種の入力信号に応じた色特性目標データを作成することも容易に行うことができる。
従って、様々なモードに応じたルックアップテーブルを容易に作成できる。
【００１１】
本発明においては、
前記第１の色特性算出工程は、前記ＲＧＢの各表示体色特性データの正規化した輝度値が、前記色特性目標データの正規化した輝度値において前記信号レベル設定工程で設定されたレベルの入力信号に対応する輝度値と等しい条件を満たすＲ色の第１の三刺激値（Xrt,Yrt,Zrt）、Ｇ色の第１の三刺激値（Xgt,Ygt,Zgt）、Ｂ色の第１の三刺激値（Xbt,Ybt,Zbt）を求め、
前記第１の輝度値算出工程は、第１の色特性算出工程で算出されたＲＧＢの各色特性データと、前記設定された入力信号レベルに対応する色特性目標データとからＲＧＢ毎の第１の輝度値（Yr,Yg,Yb）を算出し、
前記第２の色特性算出工程は、前記ＲＧＢの各表示体色特性データの正規化した輝度値が、前記第１の輝度値（Yr,Yg,Yb）と等しい条件を満たすＲ色の第２の三刺激値（Xrt',Yrt',Zrt'）、Ｇ色の第２の三刺激値（Xgt',Ygt',Zgt'）、Ｂ色の第２の三刺激値（Xbt',Ybt',Zbt'）を求め、
前記第２の輝度値算出工程は、第２の色特性算出工程で算出されたＲＧＢの各色特性データと、前記設定された入力信号レベルに対応する色特性目標データとからＲＧＢ毎の第２の輝度値（Yr',Yg',Yb'）を算出することが好ましい。
【００１２】
この際、前記色特性目標データにおいて前記信号レベル設定工程で設定されたレベルの入力信号に対応する色特性目標データの三刺激値を（Ｘ，Ｙ，Ｚ）とし、表示装置で黒を表示している際の三刺激値を（Xbk,YbK,Zbk）とした場合に、
前記第１の輝度値算出工程は、第１の輝度値（Yr,Yg,Yb）を次の式（１）で求め、前記第２の輝度値算出工程は、第２の輝度値（Yr',Yg',Yb'）を次の式（２）で求めることが好ましい。
【００１３】
【数１】
2006113151.tif 000003
【００１４】
【数２】
2006113151.tif 000004
【００１５】
このような本発明によれば、第１および第２の色特性算出工程は、共に表示体色特性データの正規化した輝度値が色特性目標データや第１の輝度値と等しくなるようにして第１および第２の三刺激値を算出しており、その算出処理は殆ど同じであるため、処理プログラムを共通化でき、容易に処理できる。
また、第１および第２の輝度値算出工程も、式（１）、（２）に示すように、算出処理は殆ど同じであるため、この点でも処理プログラムを共通化でき、容易に処理できる。
【００１６】
ここで、前記表示装置は、表示体としてのＲＧＢ用の３枚の液晶パネルを有する三板式液晶プロジェクタであることが好ましい。
表示装置としては、液晶ディスプレイ、プラズマテレビ、有機ＥＬディスプレイなどの各種の表示装置が利用できるが、ＲＧＢ用に３枚の液晶パネルを備えた三板式液晶プロジェクタにおいても、各パネルの表示体色特性データを測定すれば、後は測定データと色特性目標データなどを用いたデータ処理でルックアップテーブルを作成できるので、効率的に画質調整を行うことができる。
【００１７】
本発明の表示装置の画質調整装置は、
Ｒ，Ｇ，Ｂの３色を表示可能な表示体の駆動信号レベルに対するＲ，Ｇ，Ｂ毎の輝度値および色座標値を含む表示体色特性データを測定する色特性測定手段と、
前記表示体に所定レベルの駆動信号を入力した際の出力画像の色特性目標データを設定する目標データ設定手段と、
前記表示体を有する表示装置に入力される入力信号と、その入力信号に応じて前記表示体に入力する駆動信号との関係を定義するルックアップテーブルを作成するルックアップテーブル作成手段と、
作成したルックアップテーブルを前記表示装置に組み込む画質調整手段とを備え、
前記ルックアップテーブル作成手段は、
信号レベルを設定する信号レベル設定手段と、
前記ＲＧＢの各表示体色特性データの正規化した輝度値が、前記色特性目標データの正規化した輝度値において前記信号レベル設定手段で設定されたレベルの入力信号に対応する輝度値と等しい条件を満たすＲＧＢ毎の第１の色特性データを求める第１の色特性算出手段と、
ＲＧＢ毎の第１の色特性データと、前記設定された信号レベルに対応する色特性目標データとからＲＧＢ毎の第１の輝度値を算出する第１の輝度値算出手段と、
前記ＲＧＢの各表示体色特性データの正規化した輝度値が、前記第１の輝度値と等しい条件を満たすＲＧＢ毎の第２の色特性データを求める第２の色特性算出手段と、
ＲＧＢ毎の第２の色特性データと、前記設定された信号レベルに対応する色特性目標データとからＲＧＢ毎の第２の輝度値を算出する第２の輝度値算出手段と、
前記ＲＧＢ毎の表示体色特性データの正規化した輝度値が、前記第２の輝度値と等しい条件を満たすＲＧＢの各駆動信号レベルを求め、前記表示装置に入力される信号レベルとＲＧＢの各駆動信号レベルとの関係を示すルックアップテーブルデータを算出するルックアップテーブルデータ算出手段と、
前記信号レベル設定手段で信号レベルを変更しながら、前記第１の色特性算出手段、第１の輝度値算出手段、第２の色特性算出手段、第２の輝度値算出手段、ルックアップテーブルデータ算出手段を用いてルックアップテーブルを作成することを特徴とする。
本発明においても、前記表示装置の画質調整方法と同じ作用効果を奏することができる。
【００１８】
本発明の表示装置は、Ｒ，Ｇ，Ｂの３色を表示可能な表示体と、この表示体を駆動する駆動制御回路部とを有し、駆動制御回路部は、前記表示装置の画質調整方法によって作成されたルックアップテーブルを用いて前記表示体の駆動を制御することを特徴とする。
本発明の表示装置においては、前記画質調整方法によって作成されたルックアップテーブルを組み込んでいるので、色再現性を向上できる。従って、高品位テレビジョンなどの映像データを高精度に再現して表示できる。
【００１９】
ここで、前記表示体としてＲＧＢ用の３枚の液晶パネルを有する三板式液晶プロジェクタであることが好ましい。各パネルの表示体色特性データを測定すれば、後は測定データと色特性目標データなどを用いたデータ処理でルックアップテーブルを作成できるので、効率的に画質調整を行うことができる。
【発明を実施するための最良の形態】
【００２０】
以下、本発明の実施の形態に係る画質調整装置について説明する。
図１に示すように、本実施形態の画質調整装置３は、測定対象の表示装置である液晶プロジェクタ１の駆動を制御するとともに、液晶プロジェクタ１で表示される画像の色度および輝度を測定する色彩輝度計２で測定されたデータを処理するものである。
【００２１】
なお、本実施形態では、表示装置として、三板式の液晶プロジェクタ１を例示するが、液晶ディスプレイ、プラズマテレビ、有機ＥＬディスプレイ等の各種表示装置を測定対象としてもよい。
液晶プロジェクタ１は、画像を表示する表示体である液晶パネル１１と、この液晶パネル１１の駆動を制御する駆動制御部１２とを備える。三板式液晶プロジェクタ１では、液晶パネル１１は３枚設けられ、それぞれがＲ（赤）、Ｇ（緑）、Ｂ（青）の各色を表示する。
なお、液晶プロジェクタや液晶ディスプレイにおける表示体は液晶パネル１１で構成されるが、プラズマテレビではＰＤＰ(プラズマ・ディスプレイ・パネル)で構成され、有機ＥＬディスプレイではＥＬパネルで構成される。
【００２２】
駆動制御部１２は、駆動用ＩＣ等で構成され、各液晶パネル（表示体）１１に対して駆動信号を加えるとともに、駆動信号の信号レベル（駆動電圧値や駆動電流値）を制御して、液晶パネル１１の出力画像の輝度値を調整する。
本実施形態では、駆動制御部１２は、８ビットや１０ビットの制御信号を用いて液晶パネル１１を駆動するように設定されている。例えば、１０ビットの制御信号を用いれば、液晶パネル１１の駆動電圧を１０２４階調に切り替えて制御できる。
なお、ＰＤＰや有機ＥＬパネルは自発光のフラットパネルであるため、前記信号レベルで画像の輝度値を直接制御するが、液晶パネル１１はバックライトの光量を調整するライトバルブとして機能するものであり、前記信号レベルで光の透過率を制御して画像の輝度値を調整している。
色彩輝度計２は、色度や輝度を測定し、そのデータを出力可能なものであり、従来から用いられている一般的なものであるため、説明を略す。
【００２３】
画質調整装置３は、コンピュータ装置で構成され、液晶プロジェクタ１にはＲＳ−２３２Ｃ等のインターフェースを介して接続されている。
そして、画質調整装置３は、測定制御部３１、画質調整部３２、記憶部３３を備えて構成される。
【００２４】
測定制御部３１は、色特性測定手段３１１と、色特性データ処理記憶手段３１２とを備える。
色特性測定手段３１１は、駆動制御部１２を制御して液晶プロジェクタ１を調整モードに設定し、液晶パネル１１の駆動信号レベルを順次切り替え、その際に表示される画像の色度や輝度を、前記色彩輝度計２を用いて測定するものである。例えば、色特性測定手段３１１は、液晶パネル１１の駆動信号レベルを０〜２５５に切換可能な８ビットの駆動信号を用いるとともに、３３点の信号レベルを順次入力して画像を表示させ、その際の色度や輝度を色彩輝度計２を用いて測定する。
なお、液晶プロジェクタ１は、色特性測定手段３１１により調整モードに設定されると、入力信号に対する出力処理に関するすべての補正処理をオフに設定する。このため、色特性測定手段３１１は、各液晶パネル１１の素の色特性データを測定することになる。
【００２５】
色特性データ処理記憶手段３１２は、色特性測定手段３１１で測定されたデータを元にＲＧＢの各色特性データを記憶部３３に記憶するものである。
なお、本実施形態では、記憶部３３には、駆動信号レベルと、その信号レベルにおける色座標をＲＧＢ毎に三刺激値（Ｘ，Ｙ，Ｚ）で記憶している。このため、色特性測定手段３１１でＲＧＢ毎の三刺激値（Ｘ，Ｙ，Ｚ）が直接測定される場合には、色特性データ処理記憶手段３１２は測定データをそのまま記憶部３３に記憶する。
一方、色特性測定手段３１１で、赤、緑、青の各色度座標および輝度値を測定する場合には、色特性データ処理記憶手段３１２はそれらの測定データを三刺激値に変換して記憶部３３に記憶する。
【００２６】
画質調整部３２は、目標データ設定手段３５と、ルックアップテーブル作成手段３６と、画質調整手段３７とを備える。
目標データ設定手段３５は、図２に示すように、理想グレイカーブ作成手段３５１と、理想カーブ色座標データ作成手段３５２とを備える。
【００２７】
理想グレイカーブ作成手段３５１は、液晶プロジェクタ１の各表示モードに応じたルックアップテーブルを作成するために、各表示モードに対応する理想的なグレイカーブを作成するものである。本実施形態において、グレイカーブとは、入力信号（駆動信号）の各信号レベルに対する無彩色（黒〜グレイ〜白）の色度座標（ｘ，ｙ）の変化を示す。
【００２８】
理想カーブ色座標データ作成手段３５２は、前記理想グレイカーブのデータと、液晶プロジェクタ１におけるガンマ補正データとから色特性目標データとなる理想カーブ色座標データを作成するものである。
【００２９】
ルックアップテーブル作成手段３６は、信号レベル設定手段３６１と、第１の色特性算出手段３６２と、第１の輝度値算出手段３６３と、第２の色特性算出手段３６４と、第２の輝度値算出手段３６５と、ルックアップテーブルデータ算出手段３６６とを備える。
【００３０】
信号レベル設定手段３６１は、データ処理用の信号レベルを設定するものである。例えば、液晶プロジェクタ１への入力信号と液晶パネル１１への駆動信号との関係を表すルックアップテーブルを作成する際に、入力信号を１０ビットに設定した場合には、信号レベル設定手段３６１は、ルックアップテーブル作成手段３６におけるデータ処理時に、信号レベルを０から１０２３までの１０２４段階に切り替えて処理している。
【００３１】
第１の色特性算出手段３６２は、ＲＧＢの各液晶パネル１１の色特性データにおいて、各液晶パネル１１の輝度値が目標データ（理想カーブ色座標データ）の輝度値と等しいと仮定した場合のＲＧＢ毎の第１の色特性データを求めるものである。
第１の輝度値算出手段３６３は、第１の色特性算出手段３６２で求めた第１の色特性データを用いて各液晶パネル１１の第１の輝度値を算出するものである。
【００３２】
第２の色特性算出手段３６４は、ＲＧＢの各液晶パネル１１の色特性データにおいて、各液晶パネル１１の輝度値が第１の輝度値算出手段３６３で算出された各輝度値と等しいと仮定した場合のＲＧＢ毎の第２の色特性データを求めるものである。
第２の輝度値算出手段３６５は、第２の色特性算出手段３６４で求めた第２の色特性データを用いて各液晶パネル１１の第２の輝度値を算出するものである。
【００３３】
ルックアップテーブルデータ算出手段３６６は、三板式液晶プロジェクタ１への入力信号と、第２の輝度値となる場合の液晶パネル１１への駆動信号との関係を示すルックアップテーブルデータを算出し、記憶部３３に記憶するものである。
【００３４】
画質調整手段３７は、作成されたルックアップテーブルを液晶プロジェクタ１のメモリに登録するものである。
【００３５】
記憶部３３は、メモリによって構成され、図１に示すように、ガンマ補正データ３３１と、色特性データ３３２と、ＬＵＴデータ３３３とが記憶されている。
ガンマ補正データ３３１は、液晶プロジェクタ１に入力される入力信号と、その信号値を指数γ（ガンマ値）で累乗した値とが記憶されている。なお、本実施形態では、ＣＲＴと同様の特性を持たせるために、前記ガンマ値γは２．２とされている。
色特性データ３３２は、測定制御部３１で測定処理された各液晶パネル１１の素の色特性データが記憶される。
ＬＵＴデータ３３３は、ルックアップテーブル作成手段３６で作成されたルックアップテーブルデータが記憶される。
【００３６】
以下に画質調整装置３における画質調整処理手順に関して説明する。
画質調整装置３は、画質調整処理が指示されると、図３に示すように、液晶プロジェクタ１の初期化処理（ステップ１、以下ステップを「Ｓ」と略す）、液晶プロジェクタ１の理想色座標設定処理Ｓ２、ルックアップテーブル作成処理Ｓ３、画質調整処理Ｓ４、調整モード終了処理Ｓ５を順次実行する。
【００３７】
［１．初期化処理］
画質調整装置３は、検査者の指示などによって画質調整処理が指示されると、液晶プロジェクタ１を調整モードに設定し、液晶プロジェクタ１に設定されている補正モードを解除して初期化する（Ｓ１）。これにより、液晶パネル１１の素の色特性データを測定することができるようになる。
【００３８】
［２．理想色座標設定処理］
画質調整装置３は、初期化処理Ｓ１が終了すると、理想色座標設定処理Ｓ２を実行する。ここで、理想色座標設定処理Ｓ２は、図４に示すように、液晶パネル１１の色特性測定工程と、目標データ設定工程とを備える。
［2.1 液晶パネルの色特性測定工程］
色特性測定工程は、色座標測定工程Ｓ２１と、色特性データ処理記憶工程Ｓ２２とを備える。
［2.1.1 色座標測定工程］
画質調整装置３は、まず測定制御部３１の色特性測定手段３１１を作動し、液晶プロジェクタ１のＲ，Ｇ，Ｂの各液晶パネル１１の素の色座標（色特性データ）を測定する（Ｓ２１）。この際、色特性測定手段３１１は、Ｒ，Ｇ，Ｂの各液晶パネル１１を個別に０〜１００％まで変化させ、色彩輝度計２を用いてその際の色特性データを測定する。例えば、液晶パネル１１に８ビットの駆動信号を入力して駆動する場合、すなわち０〜２５５までの２５６階調に変化できる場合に、その中の３３点の信号を入力し、その時の色特性データ（例えば三刺激値Ｘ，Ｙ，Ｚ）を色彩輝度計２により測定する。
【００３９】
［2.1.2 色特性データ処理記憶工程］
次に、測定制御部３１の色特性データ処理記憶手段３１２は、色特性測定手段３１１で測定された色座標データを適宜処理して記憶部３３の色特性データ３３２に記憶する（Ｓ２２）。
すなわち、本実施形態では、色特性データ３３２には三刺激値（ＸＹＺ値）を記憶するように設定されているので、色特性測定手段３１１で各液晶パネル１１の色座標として三刺激値（Ｘ，Ｙ，Ｚ）を直接測定している場合、色特性データ処理記憶手段３１２はその測定データを色特性データ３３２に直接記憶する。一方、色特性測定手段３１１で色度座標（ｘ、ｙ）と輝度値Ｙとを測定した場合には、色特性データ処理記憶手段３１２は、これらの測定データを処理して三刺激値（Ｘ，Ｙ，Ｚ）を算出し、この算出されたＸＹＺ値を色特性データ３３２に記憶する。
これらのＲＧＢの各液晶パネル１１の三刺激値（色座標）をグラフにプロットすると図６に示すようになる。
【００４０】
［2.2 目標データ設定工程］
次に、画質調整装置３は、画質調整部３２の目標データ設定手段３５を作動し、目標データ設定工程を実行する。目標データ設定工程は、図４に示すように、理想グレイカーブ作成工程（Ｓ２３）と、理想カーブ色座標作成工程（Ｓ２４）とを備える。
【００４１】
［2.2.1 理想グレイカーブ作成工程］
目標データ設定手段３５の理想グレイカーブ作成手段３５１は、液晶プロジェクタ１の表示特性の目標となる理想グレイカーブを作成する（Ｓ２３）。
目標データとしては、例えば、目標となる色座標をｓＲＧＢ等の色規格に合わせるように設定すればよい。例えば、ｓＲＧＢの定義では、白の色度座標(xwt=0.3127、ywt=0.3290)、赤の色度座標(xrt=0.6400、yrt=0.3300)、緑の色度座標(xgt=0.3000、ygt=0.6000)、青の色度座標(xbt=0.1500、ybt=0.0600)である。
【００４２】
理想グレイカーブ作成手段３５１は、図７に示すように、前記色度座標を基準として、液晶プロジェクタ１において理想的なGrayカーブ（黒〜グレイ〜白までの無彩色表示時のｘｙ座標データ）を作成する。このGrayカーブは、無彩色であるため、図７の点線で示す目標ラインＬ１，Ｌ２に示すように、色度座標（ｘｙ座標）で示すと、入力値（駆動信号レベル）が変化しても色度座標は一定、つまりｘ値もｙ値も一定であり、明度のみが変化するものが理想である。従って、液晶プロジェクタ１において色再現性を優先する表示モードの場合には、入力値の変化に関係なく、色度座標（ｘ、ｙ）が一定となる前記目標ラインＬ１，Ｌ２にほぼ沿った理想グレイカーブとすればよい。例えば、各液晶パネル１１の駆動信号レベルをすべて「０」にした場合の色度座標(xkt,ykt)は、実際に全黒表示した場合の測定値つまりその液晶プロジェクタ１において表示可能な最小輝度値とし、グレイから全白表示までは前記目標ラインＬ１，Ｌ２に沿った理想グレイカーブを作成すればよい。
【００４３】
一方、液晶プロジェクタ１では、色を優先して表示するモードの他、明るさを優先して表示するモードもある。
この明るさ優先モードでは、各液晶パネル１１の前記駆動信号レベルをすべて「２５５」にして全白表示した場合の色度座標(xwt,ywt)は、実際に全白表示した場合の測定値、つまりその液晶プロジェクタ１において表示可能な最大輝度値とすればよい。
同様に、各液晶パネル１１の駆動信号レベルをすべて「０」にした場合の色度座標(xkt,ykt)は、実際に全黒表示した場合の測定値つまりその液晶プロジェクタ１において表示可能な最小輝度値とすればよい。
【００４４】
従って、明るさ優先モード時の液晶プロジェクタ１における理想的なGrayカーブは、図７に実線（ｘ座標）および二点鎖線（ｙ座標）に示すように、入力が「０」の場合には全黒の測定色度標(xkt,ykt)となり、入力が最大値（例えば１０ビットの信号であれば１０２３）の場合には全白の測定色度座標(xwt,ywt)となり、入力値が所定の範囲にある場合には、ｘｙ座標値が一定つまり目標ライン上となるように設定すればよい。なお、各測定座標(xkt,ykt)、(xwt,ywt)から色度座標が一定値となるまでの曲線部分は、その液晶プロジェクタ１をどのような特性にするかによって設定すればよい。特に、素の白の影響をどの入力値まで影響させるかによって設定すればよい。
【００４５】
［2.2.2 理想カーブの色座標（Ｘ，Ｙ，Ｚ）作成工程］
次に、理想カーブ色座標データ作成手段３５２は、前記Grayカーブと、ガンマ特性データから、理想カーブの色座標であるＸＹＺ値を作成する（Ｓ２４）。すなわち、前記Grayカーブの各色度座標データと、液晶プロジェクタ１におけるガンマ特性（輝度特性）とから、図８に示すような理想カーブのＸＹＺ値を求める。この理想カーブは、液晶プロジェクタ１から投射されるグレイ画像の目標となる三刺激値ＸＹＺ値である。なお、ガンマ特性は、ＣＲＴの特性に合わせてγ値＝２．２つまり２．２乗のガンマ特性に設定している。
なお、この理想カーブにおいては、入力信号０〜１０２３に対してＹ値が０〜１．０に変化するように正規化されている。従って、この正規化された輝度値（Ｙ値）は、液晶パネル１１の透過率に一致する。
【００４６】
［３．ルックアップテーブル（ＬＵＴ）作成処理］
次に、画質調整装置３は、画質調整部３２のルックアップテーブル作成手段３６を作動し、ルックアップテーブル（ＬＵＴ）を作成する。
［3.1 信号レベル設定工程］
図５に示すように、ルックアップテーブル作成手段３６は、まず信号レベル設定手段３６１により信号レベルを設定する（Ｓ３１）。信号レベルは、ＬＵＴの作成処理の際の入力条件データとなるものであり、液晶プロジェクタ１の入力信号と液晶パネル１１の駆動信号との関係を示すＬＵＴにおける入力信号レベルに相当するものである。
本実施形態では、入力信号Ｓｎを０から１０２３まで１０２４段階に変化させながら、以下に説明するＳ３２〜Ｓ３６の処理を繰り返してＬＵＴを作成する。なお、以下の説明では、入力信号Ｓｎ＝５５０の場合を図示して説明している。
【００４７】
［3.2 第１の色特性算出工程］
次に、ルックアップテーブル作成手段３６は、第１の色特性算出手段３６２を作動し、理想カーブの色座標のＹ値に対応するＲＧＢ毎のＸＹＺを求めることで、第１の色特性を算出する（Ｓ３２）。
理想色座標設定処理Ｓ２で求めた前記理想カーブは、液晶プロジェクタ１の出力画像のＸＹＺ値である。この出力画像のＸＹＺ値は、加法混色の原理から、Ｒ表示用の液晶パネル（Ｒパネル）１１、Ｇ表示用の液晶パネル（Ｇパネル）１１、Ｂ表示用の液晶パネル（Ｂパネル）１１の各三刺激値ＸＹＺ値を加算したものになる。
そこで、第１の色特性算出手段３６２は、まず、入力信号Ｓｎ（＝５５０）に対する理想カーブのＹ値から輝度値（透過率）を求め、各パネル１１の色座標データにおいて、同じ輝度値となる場合のＸＹＺ値を求める。すなわち、所定の入力信号Ｓｎに対する理想カーブの輝度値（透過率）は、ＲＧＢの各パネル１１のＸＹＺ値を加算する場合の各パネル１１の輝度値（透過率）がすべて等しいと仮定すれば、各パネルの輝度値と同じになる。
【００４８】
このため、第１の色特性算出手段３６２は、図９〜１１に示すように、Ｓ２で測定したＲＧＢの各パネル１１の色座標データにおいて、各Ｙ値を入力信号Ｓｎを０から１０２３まで変化させた場合に対して０〜１．０となるように正規化したＹｒ、Ｙｇ，Ｙｂをグラフ上にプロットしておく。
そして、図９〜１１に示すように、所定の入力信号Ｓｎ（＝５５０）に対する理想カーブのＹ値（輝度値）を求め、各正規化されたＹｒ，Ｙｇ，Ｙｂのグラフにおいて、前記Ｙ値となる入力値（横軸値）を求め、その入力値に対するＲＧＢの各パネル１１の三刺激値ＸＹＺを求める。すなわち、Ｒパネルにおける三刺激値（Xrt,Yrt,Zrt）、Ｇパネルにおける三刺激値（Xgt,Ygt,Zgt）、Ｂパネルにおける三刺激値（Xbt,Ybt,Zbt）を求める。これらの三刺激値データが第１の色特性データとなる。
【００４９】
［3.3 第１の輝度値算出工程］
次に、ルックアップテーブル作成手段３６は、第１の輝度値算出手段３６３を作動し、第１の色特性算出工程Ｓ３２で求めたＲＧＢの各パネル１１のＸＹＺ値から各パネルの輝度（Yr,Yg,Yb）を求めることで、第１の輝度値を算出する（Ｓ３３）。
すなわち、第１の色特性算出工程Ｓ３２では、各パネル１１の輝度が互いに等しいものと仮定していたが、実際には各パネル１１毎に輝度が異なる可能性が高い。このため、第１の輝度値算出工程Ｓ３３では、第１の色特性算出工程Ｓ３２で算出した色特性データに基づき、実際の各パネル１１の輝度値の近似値（第１の輝度値）を求めている。
【００５０】
ここで、理想カーブのＸＹＺ値と、各パネル１１のＸＹＺ値とは次の式（３）の関係にある。
【数３】
2006113151.tif 000005
【００５１】
ここで、Ｘ，Ｙ，Ｚは、理想カーブの所定入力信号Ｓｎに対する三刺激値であり、Ｘbk，Ｙbk，Ｚbkは、液晶プロジェクタ１の黒表示時の三刺激値である。Ｘbk，Ｙbk，Ｚbkを加算しているのは、液晶プロジェクタ１では、バックライト（光源）の光を各液晶パネル１１の透過率を調整して明るさを制御しており、液晶パネル１１の透過率を０にして黒表示を行っても、バックライトの漏光等があり、そのオフセット分を加算する必要があるためである。
この関係を行列式で表せば、次の式（４）となる。
【００５２】
【数４】
2006113151.tif 000006
【００５３】
この式（４）を変形してＲＧＢの各パネル１１の輝度（Yr,Yg,Yb）を求めると、式（５）となる。
【００５４】
【数５】
2006113151.tif 000007
【００５５】
従って、式（５）に、第１の色特性データ等を代入することで、第１の輝度値（Yr,Yg,Yb）を算出することができる。
【００５６】
［3.4 第２の色特性算出工程］
次に、ルックアップテーブル作成手段３６は、第２の色特性算出手段３６４を作動し、第１の輝度値算出工程Ｓ３３で算出した第１の輝度値からＲＧＢのパネル１１毎のＸＹＺ値を再度求めることで、第２の色特性を算出する（Ｓ３４）。
【００５７】
式（５）の各パネル１１の三刺激値（第１の色特性データ）は、輝度値が理想カーブのＹ値と等しい場合のものであり、式（５）で求めた各パネル１１の輝度（Yr,Yg,Yb）の場合の値ではない。
このため、第２の色特性算出手段３６４は、式（５）で求めた輝度（Yr,Yg,Yb）に対応する各パネル１１の三刺激値を再度求める。具体的には、図１２〜１４に示すように、入力信号Ｓｎに対する第１の輝度値が式（５）で求められているので、色座標測定工程Ｓ２１で測定されたＲＧＢの各パネル１１の測定データ（図１２〜１４の左側のグラフ）において、正規化されたＹｒ，Ｙｇ，Ｙｂの値が、前記輝度値（Yr,Yg,Yb）となる点の入力値（横軸値）を求める。そして、その入力値に対するＲＧＢの各パネル１１の三刺激値ＸＹＺを求める。すなわち、Ｒパネルにおける三刺激値（Xrt',Yrt',Zrt'）、Ｇパネルにおける三刺激値（Xgt',Ygt',Zgt'）、Ｂパネルにおける三刺激値（Xbt',Ybt',Zbt'）を求める。これらの三刺激値データが第２の色特性データとなる。
【００５８】
［3.5 第２の輝度値算出工程］
次に、ルックアップテーブル作成手段３６は、第２の輝度値算出手段３６５を作動し、第２の色特性算出工程Ｓ３４で求めたＲＧＢの各パネル１１の第２の色特性データから各パネル１１の輝度を求めることで、第２の輝度値（Yr',Yg',Yb'）を算出する（Ｓ３５）。
すなわち、第２の輝度値算出手段３６５は、第２の色特性算出工程Ｓ３４で得られた各パネル１１毎のＸＹＺ値に基づき、実際の各パネル１１の輝度値を次の式（６）を用いて算出する。なお、式（６）は、式（５）における変換行列の各三刺激値を第２の色特性算出工程Ｓ３４で得られた三刺激値に置き換えたものである。
【００５９】
【数６】
2006113151.tif 000008
【００６０】
従って、式（６）に、第２の色特性データ等を代入することで、第２の輝度値（Yr',Yg',Yb'）を算出することができる。
【００６１】
［3.6 ＬＵＴデータ算出工程］
次に、ルックアップテーブル作成手段３６は、ルックアップテーブルデータ算出手段３６６を作動する。ルックアップテーブルデータ算出手段３６６は、図１５〜１７に示すように、各正規化されたＹｒ，Ｙｇ，Ｙｂのグラフにおいて、第２の輝度値算出工程Ｓ３５で算出した各パネル１１の輝度値（Yr',Yg',Yb'）となる入力値（横軸値）を求める。
例えば、入力信号Ｓｎ＝５５０であった場合、Ｒパネルに入力すべき駆動信号Ｓｒ＝６８０、Ｇパネルに入力すべき駆動信号Ｓｇ＝６５５、Ｂパネルに入力すべき駆動信号Ｓｂ＝６４０が求められる。
ルックアップテーブルデータ算出手段３６６は、算出された各駆動信号を入力信号Ｓｎに関連付けてＬＵＴデータ３３３に記憶する。
【００６２】
［3.7 測定回数確認工程］
次に、ルックアップテーブル作成手段３６は、予め設定された数だけデータ算出を行ったか否かを確認する（Ｓ３７）。例えば、信号レベル設定工程Ｓ３１で、入力信号Ｓｎのレベルとしてｎを０から１０２３まで１０２４段階（階調）に変化させる場合には、つまりｎが算出回数を示すように設定した場合には、測定回数確認工程Ｓ３７ではｎが１０２３になった時点で設定数だけデータ算出を行ったと判断し、ルックアップテーブル作成処理Ｓ３を終了する。
一方、測定回数確認工程Ｓ３７でデータ算出を設定数行っていない場合には、信号レベル設定工程Ｓ３１に戻り、信号レベルを１段階変更してＳ３２〜Ｓ３６の各工程を繰り返す。つまり、入力信号Ｓｎを０から１０２３まで変化させながら前記Ｓ３２〜Ｓ３６を繰り返す。これにより、各入力信号Ｓｎに対し、ＲＧＢの各パネル１１に入力すべき駆動信号が求まるので、ＶＴ特性のＬＵＴが作成できる。
ＬＵＴは、図１８に示すように、前記入力信号Ｓｎを横軸にし、ＲＧＢの各パネルへの駆動信号を縦軸にしたグラフで表される。
【００６３】
［４ 画質調整処理］
ルックアップテーブル作成処理Ｓ３が終了すると、画質調整部３２の画質調整手段３７は、作成されたルックアップテーブル（ＬＵＴ）データ３３３を液晶プロジェクタ１内のメモリに登録する（Ｓ４）。これにより、液晶プロジェクタ１に入力された画像・映像信号は、駆動制御部１２においてＬＵＴデータ３３３を用いた補正処理が行われ、液晶パネル１１に入力されることになる。このため、液晶プロジェクタ１は、一般的な映像信号（ＣＲＴの特性に合わせたγ＝１／２．２の信号）を表示するのに適した画質調整が行われることになる。
【００６４】
［５ 調整モード終了処理］
画質調整処理Ｓ４が終了すると、画質調整装置３は、調整モードを終了する（Ｓ５）。これにより、液晶プロジェクタ１の調整モードも解除される。
【００６５】
以上に説明した第１実施形態によれば、次のような効果がある。
（１）液晶プロジェクタ１への入力信号Ｓｎに対する出力画像のＸＹＺ値が、理想カーブのＸＹＺ値となるようにＬＵＴを作成する際に、まず各パネル１１の輝度値（透過率）が理想カーブのＹ値（輝度値）と等しいと設定して各パネル１１のＸＹＺ値を求め、各パネル１１の実際の輝度値の近似値を求め、この近似輝度値（Yr,Yg,Yb）に対する各パネル１１のＸＹＺ値を再度求め、そのＸＹＺ値を利用して各パネル１１の輝度値（Yr',Yg',Yb'）を算出している。従って、実際の各パネル１１の輝度値（Yr',Yg',Yb'）に近似した状態の各パネル１１の三刺激値の実測値を用いて正しい輝度値を求めることができるので、旋光分散特性を有する液晶パネル１１のように、階調（入力値）の変化に応じて色座標が変化する場合でも、実際の輝度値に近似した三刺激値の測定データを用いて正しい輝度値を算出できるので、より正確なＬＵＴを作成できる。
このため、旋光分散特性によって、特に中・低輝度域でホワイトバランスが崩れてしまい色再現性が低下していた従来に比べ、中・低輝度域でもより正確な色再現性を実現できる。従って、液晶プロジェクタ１において、低・中・高の各輝度領域全体での色再現性を向上できる。
【００６６】
（２）目標データ設定手段３５は、理想グレイカーブ作成手段３５１および理想カーブ色座標データ作成手段３５２を備えているので、各表示モード毎に理想のグレイカーブを容易に設定することができ、各表示モード毎の色特性目標データを容易に作成できる。
また、各種のガンマ特性に応じたガンマ補正データを用いてガンマ特性の異なる各種の入力信号に応じた色特性目標データを作成することも容易に行うことができる。従って、様々なモードに応じたルックアップテーブルを容易に作成できる。
その上、理想カーブは、２．２乗のガンマ特性を加味したデータであるため、ＬＵＴデータ３３３をＣＲＴの表示特性に合わせたものにできる。このため、液晶プロジェクタ１を、ＣＲＴでの出力を基準としている一般的な映像・画像データを表示するのに適した表示装置にすることができる。
【００６７】
（３）Ｓ３２，Ｓ３４における正規化Yr,Yg,Ybに所定の輝度値を当てはめて第１および第２の色特性を算出する処理は、基本的に同じ処理であるので、処理プログラムも同一のルーチンを用いることができ、効率的に処理できる。
同様に、式（５），（６）も同じ構造であるため、式（５），（６）を用いて第１および第２の輝度値を算出する処理Ｓ３３，Ｓ３５の処理プログラムも共通化でき、効率的に処理できる。
【００６８】
なお、本発明は、前記各実施形態に限定されない。
例えば、目標色座標を決定する場合に、前記実施形態では、明るさ優先の場合を想定して設定していたが、色再現を優先して設定してもよい。また、ガンマ補正はγ＝２．２の場合に限らず、γ＝１．８等としてＬＵＴを算出してもよい。
このように複数の表示モードに応じたＬＵＴを作成すれば、液晶プロジェクタ１に複数の表示モードに応じたＬＵＴを登録でき、利用者の手動選択や、画像信号の種類に応じた自動選択により、液晶プロジェクタ１を適切な表示モードに設定できる。
【００６９】
本発明の画質調整方法や画質調整装置で調整される表示装置は、透過型の三板式液晶プロジェクタ１に限定されず、液晶プロジェクションテレビでもよいし、直視型の液晶パネルを利用する液晶プロジェクタ、液晶ディスプレイでもよい。また、表示体として液晶パネル１１を用いる表示装置に限らず、ＰＤＰを用いるプラズマテレビや有機ＥＬパネルを用いる有機ＥＬディスプレイなどでもよい。要するに、本発明は、表示体毎の入出力特性の測定や、その測定データを用いた表示装置の画質調整に広く利用できる。
従って、本発明の表示装置も、液晶プロジェクタに限らず、液晶プロジェクションテレビ、液晶ディスプレイ、プラズマテレビ、有機ＥＬディスプレイなどでもよい。
なお、ＲＧＢの各画素が設けられた１枚の液晶パネル、ＰＤＰ、有機ＥＬパネルを用いた場合には、Ｒ色、Ｇ色、Ｂ色をそれぞれ単色で表示して色特性を測定すればよい。
【図面の簡単な説明】
【００７０】
【図１】実施形態の画質調整装置の構成を示すブロック図。
【図２】実施形態の画質調整部の構成を示すブロック図。
【図３】画質調整処理を説明するためのフローチャート。
【図４】理想色座標設定処理を説明するためのフローチャート。
【図５】ルックアップテーブル作成処理を説明するためのフローチャート。
【図６】ＲＧＢの各パネルの素の色特性を示すグラフ。
【図７】理想グレイカーブの色度座標を示すグラフ。
【図８】理想グレイカーブおよびガンマ特性から算出された理想カーブのＸＹＺ値を示すグラフ。
【図９】Ｒパネルの第１の色特性算出工程を説明するグラフ。
【図１０】Ｇパネルの第１の色特性算出工程を説明するグラフ。
【図１１】Ｂパネルの第１の色特性算出工程を説明するグラフ。
【図１２】Ｒパネルの第１の輝度値および第２の色特性算出工程を説明するグラフ。
【図１３】Ｇパネルの第１の輝度値および第２の色特性算出工程を説明するグラフ。
【図１４】Ｂパネルの第１の輝度値および第２の色特性算出工程を説明するグラフ。
【図１５】Ｒパネルの第２の輝度値およびルックアップテーブルデータの算出工程を説明するグラフ。
【図１６】Ｇパネルの第２の輝度値およびルックアップテーブルデータの算出工程を説明するグラフ。
【図１７】Ｂパネルの第２の輝度値およびルックアップテーブルデータの算出工程を説明するグラフ。
【図１８】ルックアップテーブルを示すグラフ。
【符号の説明】
【００７１】
１…液晶プロジェクタ、２…色彩輝度計、３…画質調整装置、１１…液晶パネル、１２…駆動制御部、３１…測定制御部、３２…画質調整部、３３…記憶部、３５…目標データ設定手段、３６…ルックアップテーブル作成手段、３７…画質調整手段、３１１…色特性測定手段、３１２…色特性データ処理記憶手段、３３１…ガンマ補正データ、３３２…色特性データ、３３３…ＬＵＴデータ、３５１…理想グレイカーブ作成手段、３５２…理想カーブ色座標データ作成手段、３６１…信号レベル設定手段、３６２…第１の色特性算出手段、３６３…第１の輝度値算出手段、３６４…第２の色特性算出手段、３６５…第２の輝度値算出手段、３６６…ルックアップテーブルデータ算出手段。
【図１】
2006113151.tif 000011
【図２】
2006113151.tif 000012
【図３】
2006113151.tif 000013
【図４】
2006113151.tif 000014
【図５】
2006113151.tif 000015
【図６】
2006113151.tif 000016
【図７】
2006113151.tif 000017
【図８】
2006113151.tif 000018
【図９】
2006113151.tif 000019
【図１０】
2006113151.tif 000020
【図１１】
2006113151.tif 000021
【図１２】
2006113151.tif 000022
【図１３】
2006113151.tif 000023
【図１４】
2006113151.tif 000024
【図１５】
2006113151.tif 000025
【図１６】
2006113151.tif 000026
【図１７】
2006113151.tif 000027
【図１８】
2006113151.tif 000028